【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
第１のデバイスタイプの第１のワイヤレスデバイスによって実行されるワイヤレス通信の方法であって、
前記第１のワイヤレスデバイスと関連付けられる基本サービスセット（ＢＳＳ）内での通信延期ポリシーを決定することと、
第２のワイヤレスデバイスからメッセージを受信することと、ここにおいて、前記メッセージは、ＢＳＳ識別子を含み、
前記メッセージのメッセージタイプを決定することと、ここにおいて、前記メッセージタイプは、リクエストツーセンド（ＲＴＳ）タイプまたはクリアツーセンド（ＣＴＳ）タイプであり、
前記メッセージ中の前記ＢＳＳ識別子に基づいて、前記メッセージが重複する基本サービスセット（ＯＢＳＳ）と関連付けられるかどうかを決定することと、
前記通信延期ポリシー、前記メッセージタイプ、および前記メッセージが前記ＯＢＳＳと関連付けられるかどうかに基づいて、通信を延期するかどうかを決定することと
を備える、方法。
【請求項２】
構成メッセージを受信することをさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定され、前記構成メッセージが前記第１のワイヤレスデバイスと同じＢＳＳの中のアクセスポイントから受信される、請求項１に記載の方法。
【請求項３】
前記メッセージに含まれるデバイスタイプインジケータに基づいて、前記第２のワイヤレスデバイスが前記第１のデバイスタイプであるか第２のデバイスタイプであるかを決定することをさらに備え、通信を延期するかどうかの前記決定がさらに、前記第２のワイヤレスデバイスが前記第１のデバイスタイプであるか前記第２のデバイスタイプであるかに基づく、請求項１に記載の方法。
【請求項４】
通信を延期するように前記ＢＳＳと関連付けられるワイヤレスデバイスに命令するために静穏間隔を送信することと、
前記第１のデバイスタイプのワイヤレスデバイスによって復号可能である静穏成分打消しを送信することと
をさらに備える、請求項１に記載の方法。
【請求項５】
ＣＴＳメッセージのみを考慮するネットワーク割振りベクトルとともにＲＴＳメッセージを送信すること、
第２のデバイスタイプのワイヤレスデバイスによって復号可能ではないＲＴＳメッセージまたはＣＴＳメッセージを送信すること、または、
電力閾値を下回る送信電力で、またはレート閾値を上回る送信レートで、ＲＴＳメッセージまたはＣＴＳメッセージを送信すること
をさらに備える、請求項１に記載の方法。
【請求項６】
第２のメッセージを送信することをさらに備え、前記第２のメッセージが、
ＯＢＳＳの再使用が許可されないことを示す予備のＢＳＳ識別子、
ＯＢＳＳの再使用を許可しないためにＢＳＳ識別子が存在せず、もしくは無効であること、または、
前記第２のメッセージが第１のＲＴＳタイプもしくは第１のＣＴＳタイプであること
を示すことによって、ＯＢＳＳの再使用が許可されないことを示す、請求項１に記載の方法。
【請求項７】
第１のデバイスタイプの第１のワイヤレスデバイスである、ワイヤレス通信のための装置であって、
前記第１のワイヤレスデバイスと関連付けられる基本サービスセット（ＢＳＳ）内での通信延期ポリシーを決定するための手段と、
第２のワイヤレスデバイスからメッセージを受信するための手段と、ここにおいて、前記メッセージは、ＢＳＳ識別子を含み、
前記メッセージのメッセージタイプを決定するための手段と、ここにおいて、前記メッセージタイプは、リクエストツーセンド（ＲＴＳ）タイプまたはクリアツーセンド（ＣＴＳ）タイプであり、
前記メッセージ中の前記ＢＳＳ識別子に基づいて、前記メッセージが重複する基本サービスセット（ＯＢＳＳ）と関連付けられるかどうかを決定するための手段と、
前記通信延期ポリシー、前記メッセージタイプ、および前記メッセージが前記ＯＢＳＳと関連付けられるかどうかに基づいて、通信を延期するかどうかを決定するための手段と
を備える、装置。
【請求項８】
構成メッセージを受信するための手段をさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定される、請求項７に記載の装置。
【請求項９】
前記通信延期ポリシーが、
前記第２のワイヤレスデバイスのデバイスタイプ、
前記第２のワイヤレスデバイスから受信された前記メッセージの受信信号強度、
前記第２のワイヤレスデバイスからの前記メッセージに含まれる情報
のうちの１つまたは複数に基づいて、延期するかどうかを前記第１のワイヤレスデバイスに命令する、請求項７に記載の装置。
【請求項１０】
前記メッセージに含まれる前記情報が、
前記第２のワイヤレスデバイスからの前記メッセージの意図される受信機における許容される干渉レベル、
前記第２のワイヤレスデバイスにおける許容される干渉レベル、
前記メッセージを送信するために使用される送信電力、
前記第２のワイヤレスデバイスによって送信または受信されるべきデータの変調およびコーディング方式（ＭＣＳ）、
非延期が許可されるかどうかの指示、または、
延期するかどうかを決定するために使用すべき前記第１のワイヤレスデバイスに対する閾値のセット
を備える、請求項９に記載の装置。
【請求項１１】
前記通信延期ポリシーが、前記メッセージが前記ＢＳＳと関連付けられるときに通信を延期するように前記第１のワイヤレスデバイスに命令する、請求項７に記載の装置。
【請求項１２】
前記通信延期ポリシーがさらに、
前記メッセージが前記ＯＢＳＳと関連付けられるかどうか、
前記第２のワイヤレスデバイスが前記第１のデバイスタイプであるか第２のデバイスタイプであるかどうか、
前記メッセージの受信信号強度が第１の閾値未満であるかどうか、
前記メッセージがＲＴＳメッセージである場合、前記メッセージの前記受信信号強度がＲＴＳ閾値未満であるかどうか、
前記メッセージがＣＴＳメッセージである場合、前記メッセージの前記受信信号強度がＣＴＳ閾値未満であるかどうか、
前記メッセージの前記受信信号強度が前記第１のワイヤレスデバイスと関連付けられる第２の閾値未満であるかどうか、または、
前記メッセージに含まれる非延期のための条件のセットが満たされるかどうか
のうちの少なくとも１つに基づいて、通信を延期しないように前記第１のワイヤレスデバイスに命令する、請求項１１に記載の装置。
【請求項１３】
前記通信延期ポリシーが、条件のセットに基づいてＯＢＳＳの再使用を許可するかどうかを前記第１のワイヤレスデバイスに命令する、請求項７に記載の装置。
【請求項１４】
条件の前記セットは、
前記第１のワイヤレスデバイスがサービングＡＰから距離の閾値未満にある場合に、または
前記第１のワイヤレスデバイスがサービングＡＰから距離の閾値未満にありおよび、ＯＢＳＳの再使用が原因の前記第２のワイヤレスデバイスへの干渉レベルが第１の干渉レベル未満である場合、または、ＯＢＳＳの再使用が原因の前記メッセージの意図される受信者への前記干渉レベルが第２の干渉レベル未満である場合に、
前記第１のワイヤレスデバイスがＯＢＳＳの再使用を許可されることを示す、請求項１３に記載の装置。
【請求項１５】
コンピュータ実行可能コードを記憶する第１のデバイスタイプの第１のワイヤレスデバイスのコンピュータ可読媒体であって、コンピュータによって実行されると、前記コンピュータに、請求項１ないし６のいずれか一項に記載の方法を実行させるコードを備える、コンピュータ可読媒体。
【手続補正２】
【補正対象書類名】明細書
【補正対象項目名】０１８３
【補正方法】変更
【補正の内容】
【０１８３】
[00213]以上の説明は、本明細書で説明された様々な態様を、いずれの当業者も実践できるようにするために与えられる。これらの態様に対する様々な修正は当業者には容易に明らかであり、本明細書で定義された一般原理は他の態様に適用されることがある。したがって、特許請求の範囲は、本明細書に示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は１つまたは複数を指す。当業者に知られているか、または後で知られることになる、本開示全体にわたって説明される様々な態様の要素に対するすべての構造的等価物および機能的等価物は、参照により本明細書に明確に組み込まれ、特許請求の範囲によって包含されるものとする。その上、本明細書で開示されるいかなることも、そのような開示が特許請求の範囲に明示的に列挙されているかどうかにかかわらず、公に供するものではない。いかなるクレーム要素も、その要素が「ための手段」という句を使用して明確に列挙されていない限り、または方法クレームの場合には、その要素が「ためのステップ」という句を使用して列挙されていない限り、米国特許法第１１２条（ｆ）の規定の下で解釈されるべきではない。
以下に本願の出願当初の特許請求の範囲に記載された発明を付記する。
［Ｃ１］  第１のデバイスタイプの第１のワイヤレスデバイスによるワイヤレス通信の方法であって、
前記第１のワイヤレスデバイスと関連付けられる基本サービスセット（ＢＳＳ）内での通信延期ポリシーを決定することと、
第２のワイヤレスデバイスからメッセージを受信することと、
前記メッセージのメッセージタイプを決定することと、
前記決定されたメッセージタイプに基づいて、前記メッセージが重複する基本サービスセット（ＯＢＳＳ）と関連付けられるかどうかを決定することと、
前記通信延期ポリシー、前記メッセージタイプ、および前記メッセージが前記ＯＢＳＳと関連付けられるかどうかに基づいて、通信を延期するかどうかを決定することとを備える、方法。
［Ｃ２］  構成メッセージを受信することをさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定され、前記構成メッセージが前記第１のワイヤレスデバイスと同じＢＳＳの中のアクセスポイントから受信される、Ｃ１に記載の方法。
［Ｃ３］  前記メッセージが前記ＯＢＳＳと関連付けられるかどうかを前記決定することがさらに、前記メッセージの中のＢＳＳ識別子に基づく、Ｃ１に記載の方法。
［Ｃ４］  前記メッセージに含まれるデバイスタイプインジケータに基づいて、前記第２のワイヤレスデバイスが前記第１のデバイスタイプであるか第２のデバイスタイプであるかを決定することをさらに備え、通信を延期するかどうかの前記決定がさらに、前記第２のワイヤレスデバイスが前記第１のデバイスタイプであるか前記第２のデバイスタイプであるかに基づく、Ｃ１に記載の方法。
［Ｃ５］  通信を延期するように前記ＢＳＳと関連付けられるワイヤレスデバイスに命令するために静穏間隔を送信することと、
前記第１のデバイスタイプのワイヤレスデバイスによって復号可能である静穏成分打消しを送信することとをさらに備える、Ｃ１に記載の方法。
［Ｃ６］  クリアツーセンド（ＣＴＳ）メッセージのみを考慮するネットワーク割振りベクトルとともにリクエストツーセンド（ＲＴＳ）メッセージを送信すること、
第２のデバイスタイプのワイヤレスデバイスによって復号可能ではないＲＴＳメッセージまたはＣＴＳメッセージを送信すること、または、
電力閾値を下回る送信電力で、またはレート閾値を上回る送信レートで、ＲＴＳメッセージまたはＣＴＳメッセージを送信することをさらに備える、Ｃ１に記載の方法。
［Ｃ７］  第２のメッセージを送信することをさらに備え、前記第２のメッセージが、
ＯＢＳＳの再使用が許可されないことを示す予備のＢＳＳ識別子、
ＯＢＳＳの再使用を許可しないためにＢＳＳ識別子が存在せず、もしくは無効であること、または、
前記第２のメッセージが第１のリクエストツーセンド（ＲＴＳ）タイプもしくは第１のクリアツーセンド（ＣＴＳ）タイプであること
を示すことによって、ＯＢＳＳの再使用が許可されないことを示す、Ｃ１に記載の方法。
［Ｃ８］  第１のデバイスタイプの第１のワイヤレスデバイスである、ワイヤレス通信のための装置であって、
前記第１のワイヤレスデバイスと関連付けられる基本サービスセット（ＢＳＳ）内での通信延期ポリシーを決定するための手段と、
第２のワイヤレスデバイスからメッセージを受信するための手段と、
前記メッセージのメッセージタイプを決定するための手段と、
前記決定されたメッセージタイプに基づいて、前記メッセージが重複する基本サービスセット（ＯＢＳＳ）と関連付けられるかどうかを決定するための手段と、
前記通信延期ポリシー、前記メッセージタイプ、および前記メッセージが前記ＯＢＳＳと関連付けられるかどうかに基づいて、通信を延期するかどうかを決定するための手段とを備える、装置。
［Ｃ９］  構成メッセージを受信するための手段をさらに備え、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定される、Ｃ８に記載の装置。
［Ｃ１０］  第１のデバイスタイプの第１のワイヤレスデバイスである、ワイヤレス通信のための装置であって、
メモリと、
前記メモリに結合された少なくとも１つのプロセッサとを備え、前記少なくとも１つのプロセッサが、
前記第１のワイヤレスデバイスと関連付けられる基本サービスセット（ＢＳＳ）内での通信延期ポリシーを決定し、
第２のワイヤレスデバイスからメッセージを受信し、
前記メッセージのメッセージタイプを決定し、
前記決定されたメッセージタイプに基づいて、前記メッセージが重複する基本サービスセット（ＯＢＳＳ）と関連付けられるかどうかを決定し、
前記通信延期ポリシー、前記メッセージタイプ、および前記メッセージが前記ＯＢＳＳと関連付けられるかどうかに基づいて、通信を延期するかどうかを決定する
ように構成される、装置。
［Ｃ１１］  前記少なくとも１つのプロセッサがさらに、構成メッセージを受信するように構成され、前記構成メッセージが、前記メッセージが前記第１のワイヤレスデバイスの前記ＢＳＳからのものであるか前記第１のワイヤレスデバイスのＯＢＳＳからのものであるかに基づいて通信を延期するかどうかを示す、前記通信延期ポリシーを含み、前記通信延期ポリシーが前記構成メッセージに基づいて決定される、Ｃ１０に記載の装置。
［Ｃ１２］  前記通信延期ポリシーが、
前記第２のワイヤレスデバイスのデバイスタイプ、
前記第２のワイヤレスデバイスから受信された前記メッセージの受信信号強度、
前記第２のワイヤレスデバイスからの前記メッセージに含まれる情報
のうちの１つまたは複数に基づいて、延期するかどうかを前記第１のワイヤレスデバイスに命令する、Ｃ１０に記載の装置。
［Ｃ１３］  前記メッセージに含まれる前記情報が、
前記第２のワイヤレスデバイスからの前記メッセージの意図される受信機における許容される干渉レベル、
前記第２のワイヤレスデバイスにおける許容される干渉レベル、
前記メッセージを送信するために使用される送信電力、
前記第２のワイヤレスデバイスによって送信または受信されるべきデータの変調およびコーディング方式（ＭＣＳ）、
非延期が許可されるかどうかの指示、または、
延期するかどうかを決定するために使用すべき前記第１のワイヤレスデバイスに対する閾値のセットを備える、Ｃ１２に記載の装置。
［Ｃ１４］  前記通信延期ポリシーが、前記メッセージが前記ＢＳＳと関連付けられるときに通信を延期するように前記第１のワイヤレスデバイスに命令する、Ｃ１０に記載の装置。
［Ｃ１５］  前記通信延期ポリシーがさらに、
前記メッセージが前記ＯＢＳＳと関連付けられるかどうか、
前記第２のワイヤレスデバイスが前記第１のデバイスタイプであるか第２のデバイスタイプであるかどうか、
前記メッセージの受信信号強度が第１の閾値未満であるかどうか、
前記メッセージがリクエストツーセンド（ＲＴＳ）メッセージである場合、前記メッセージの前記受信信号強度がＲＴＳ閾値未満であるかどうか、
前記メッセージがＣＴＳメッセージである場合、前記メッセージの前記受信信号強度がクリアツーセンド（ＣＴＳ）閾値未満であるかどうか、
前記メッセージの前記受信信号強度が前記第１のワイヤレスデバイスと関連付けられる第２の閾値未満であるかどうか、または、
前記メッセージに含まれる非延期のための条件のセットが満たされるかどうか
のうちの少なくとも１つに基づいて、通信を延期しないように前記第１のワイヤレスデバイスに命令する、Ｃ１４に記載の装置。
［Ｃ１６］  前記通信延期ポリシーが、前記メッセージが前記ＯＢＳＳと関連付けられる場合に通信を延期しないように前記第１のワイヤレスデバイスに命令する、Ｃ１５に記載の装置。
［Ｃ１７］  前記通信延期ポリシーが、前記メッセージが前記ＯＢＳＳと関連付けられ、前記メッセージの前記受信信号強度が前記第１の閾値未満である場合に、通信を延期しないように前記第１のワイヤレスデバイスに命令する、Ｃ１５に記載の装置。
［Ｃ１８］  前記通信延期ポリシーが、前記第２のワイヤレスデバイスが前記第１のデバイスタイプであり、前記メッセージが前記ＯＢＳＳと関連付けられる場合に、通信を延期しないように前記第１のワイヤレスデバイスに命令する、Ｃ１５に記載の装置。
［Ｃ１９］  前記通信延期ポリシーが、前記第２のワイヤレスデバイスのデバイスタイプおよび前記メッセージの前記メッセージタイプに基づいて、通信を延期しないように前記第１のワイヤレスデバイスに命令する、Ｃ１５に記載の装置。
［Ｃ２０］  前記通信延期ポリシーが、条件のセットに基づいてＯＢＳＳの再使用を許可するかどうかを前記第１のワイヤレスデバイスに命令する、Ｃ１０に記載の装置。
［Ｃ２１］  条件の前記セットが、前記第１のワイヤレスデバイスがサービングＡＰから距離の閾値未満にある場合に、前記第１のワイヤレスデバイスがＯＢＳＳの再使用を許可されることを示す、Ｃ２０に記載の装置。
［Ｃ２２］  条件の前記セットが、前記第１のワイヤレスデバイスがサービングＡＰから距離の閾値未満にある場合、ＯＢＳＳの再使用が原因の前記第２のワイヤレスデバイスへの干渉レベルが第１の干渉レベル未満である場合、または、ＯＢＳＳの再使用が原因の前記メッセージの意図される受信者への前記干渉レベルが第２の干渉レベル未満である場合に、前記第１のワイヤレスデバイスがＯＢＳＳの再使用を許可されることを示す、Ｃ２０に記載の装置。
［Ｃ２３］  前記少なくとも１つのプロセッサが、前記メッセージがリクエストツーセンド（ＲＴＳ）メッセージであるか、クリアツーセンド（ＣＴＳ）メッセージであるか、またはデータパケットであるかを決定することによって、前記メッセージタイプを決定するように構成される、Ｃ１０に記載の装置。
［Ｃ２４］  前記少なくとも１つのプロセッサがさらに、
前記メッセージがＲＴＳメッセージであるとき、前記メッセージが第１のＲＴＳタイプであるか、第２のＲＴＳタイプであるか、または第３のＲＴＳタイプであるかを決定すること、
前記メッセージがＣＴＳメッセージであるとき、前記メッセージが第１のＣＴＳタイプであるか、第２のＲＴＳタイプであるか、または第３のＣＴＳタイプであるかを決定すること
のうちの少なくとも１つを実行することによって、前記メッセージタイプを決定するように構成される、Ｃ２３に記載の装置。
［Ｃ２５］  前記第１のＲＴＳタイプが、受信機アドレスフィールドまたは送信機アドレスフィールドの中にＢＳＳ識別子を含む、Ｃ２４に記載の装置。
［Ｃ２６］  前記第２のＲＴＳタイプが、受信機アドレスフィールドまたは送信機アドレスフィールドの中にＢＳＳ識別子を含み、前記受信機アドレスフィールド、前記送信機アドレスフィールド、スクランブリングシードフィールド、信号フィールド、サービスフィールド、またはフレーム制御フィールドのうちの１つまたは複数に、デバイスタイプインジケータを含む、Ｃ２４に記載の装置。
［Ｃ２７］  前記第３のＲＴＳタイプが、ＢＳＳ識別子フィールドおよびデバイスタイプインジケータのうちの少なくとも１つを含み、
非延期が許可されるかどうかを前記第１のワイヤレスデバイスが決定することを可能にする受信信号強度インジケータ（ＲＳＳＩ）閾値、
非延期が許可されるかどうかを決定するための、前記第２のワイヤレスデバイスもしくは前記メッセージの意図される受信機における許容される干渉レベル、
前記第２のワイヤレスデバイスによって送信もしくは受信されるべきデータの変調およびコーディング方式（ＭＣＳ）、
性能要件のセット、または
複数のトラフィック識別子もしくはアクセスクラスと関連付けられるバッファステータスについての情報をさらに備える、Ｃ２４に記載の装置。
［Ｃ２８］  前記第１のＣＴＳタイプが、前記第１のワイヤレスデバイスが局である場合、受信機アドレスフィールドにＢＳＳ識別子を含み、前記第２のＲＴＳタイプが、前記受信機アドレスフィールド、スクランブリングシードフィールド、信号フィールド、サービスフィールド、またはフレーム制御フィールドのうちの１つまたは複数に前記ＢＳＳ識別子またはデバイスタイプインジケータのうちの少なくとも１つを含む、Ｃ２４に記載の装置。
［Ｃ２９］  前記第３のＣＴＳタイプが、ＢＳＳ識別子フィールドおよびデバイスタイプインジケータのうちの少なくとも１つを含み、
非延期が許可されるかどうかを前記第１のワイヤレスデバイスが決定することを可能にする受信信号強度インジケータ（ＲＳＳＩ）閾値、
非延期が許可されるかどうかを決定するための、前記第２のワイヤレスデバイスもしくは前記メッセージの意図される受信機における許容される干渉レベル、
前記第２のワイヤレスデバイスによって送信もしくは受信されるべきデータの変調およびコーディング方式（ＭＣＳ）、または
性能要件のセットをさらに備える、Ｃ２４に記載の装置。
［Ｃ３０］  コンピュータ実行可能コードを記憶する第１のデバイスタイプの第１のワイヤレスデバイスのコンピュータ可読媒体であって、前記コンピュータ実行可能コードが、
前記第１のワイヤレスデバイスと関連付けられる基本サービスセット（ＢＳＳ）内での通信延期ポリシーを決定し、
第２のワイヤレスデバイスからメッセージを受信し、
前記メッセージのメッセージタイプを決定し、
前記決定されたメッセージタイプに基づいて、前記メッセージが重複する基本サービスセット（ＯＢＳＳ）と関連付けられるかどうかを決定し、
前記通信延期ポリシー、前記メッセージタイプ、および前記メッセージが前記ＯＢＳＳと関連付けられるかどうかに基づいて、通信を延期するかどうかを決定する
ためのコードを備える、コンピュータ可読媒体。